【手続補正書】
【提出日】平成31年2月7日(2019.2.7)
【手続補正１】
【補正対象書類名】特許請求の範囲
【補正対象項目名】全文
【補正方法】変更
【補正の内容】
【特許請求の範囲】
【請求項１】
透明な絶縁材料を用いて実現されている透明基材（１）の上に、所定の透過率及び所定の導電率を提供する膜状の部材である透明導電膜を用いてアンテナパターン（２）が形成されている光透過型アンテナであって、
前記アンテナパターンには、前記透明導電膜よりも導電性が高い導電部材を用いて線状に形成されている複数の強導電パターン（２２）が配置されており、
複数の前記強導電パターンの幅は、人間の目の分解能として想定される値以下に設定されており、
前記アンテナパターンの上側には、透明な絶縁材料を用いて実現された、所定の厚みを有する第２の透明基材（５）が配置されていることを特徴とする光透過型アンテナ。
【請求項２】
請求項１において、
複数の前記強導電パターンは、共振時に誘起される電流が流れる方向に沿うように配置されていることを特徴とする光透過型アンテナ。
【請求項３】
請求項２において、
複数の前記強導電パターンは直線状に形成されており、
複数の直線状の前記強導電パターンは、所定の間隔で平行に配置されており、
前記強導電パターン同士の間隔は、前記強導電パターンが有する幅よりも十分に大きい値に設定されていることを特徴とする光透過型アンテナ。
【請求項４】
請求項１から３の何れか１項において、
前記強導電パターンは、前記アンテナパターンにおいて、共振時に誘起される電流が集中する領域に配置されていることを特徴とする光透過型アンテナ。
【請求項５】
請求項１から４の何れか１項において、
前記アンテナパターンは、パッチアンテナの放射素子として動作するように、１つの辺の長さが送受信の対象とする電波の半波長に相当する長さに設定された長方形状、又は、直径が送受信の対象とする電波の半波長に相当する長さに設定された円形状に形成されており、
前記透明基材において前記アンテナパターンが配置されている面とは反対側の面には、前記アンテナパターンと対向するように、前記透明導電膜を用いてグランドパターン（３）が配置されていることを特徴とする光透過型アンテナ。
【請求項６】
請求項５において、
前記グランドパターンには、前記透明導電膜よりも導電性が高い導電部材を用いて線状に形成されている複数のグランド側強導電パターン（３２）が配置されており、
複数の前記グランド側強導電パターンの幅は、人間の目の分解能として想定される値以下に設定されていることを特徴とする光透過型アンテナ。
【請求項７】
請求項６において、
前記グランド側強導電パターンは、前記アンテナパターンが備える前記強導電パターンと対向するように配置されていることを特徴とする光透過型アンテナ。
【請求項８】
請求項１から７の何れか１項において、
前記第２の透明基材において前記アンテナパターンと接する部分であるアンテナ当接部（５１）の側方には、前記アンテナパターンにおいて電流が流れる方向と直交する姿勢で直線状のスリット部（５２、５２ａ、５２ｂ）が形成されている光透過型アンテナ。
【請求項９】
請求項１から８の何れか１項に記載の前記光透過型アンテナであるアンテナモジュール（１００、１００Ａ）と、
前記アンテナモジュールで受信した信号に対して所定の信号処理を実行する信号処理部（６）と、を備える窓部貼付型通信モジュールであって、
前記アンテナモジュールは、
前記透明基材としての第１透明基材層（Ｌ１）と、
前記第１透明基材層の上側に配置された、少なくとも１つの前記アンテナパターンを備える放射素子層（Ｌ２）と、
前記第１透明基材層の下側に配置された、前記透明導電膜を用いてなるグランド層（Ｌ３）と、
前記放射素子層の上側に透明な絶縁材料を用いて所定の厚みを有するように形成されている、前記第２の透明基材としての第２透明基材層（Ｌ４）と、を備えており、
前記第２透明基材層が車両に設けられている窓ガラス部の内側面と対向するように貼り付けて使用されるように構成されている窓部貼付型通信モジュール。
【請求項１０】
請求項９に記載の窓部貼付型通信モジュールであって、
前記第２透明基材層の厚みは、電気的に、前記アンテナモジュールが送受信の対象とする電波である対象電波の半波長の整数倍に相当する値に設定されている窓部貼付型通信モジュール。
【請求項１１】
請求項９又は１０に記載の窓部貼付型通信モジュールであって、
前記第２透明基材層において前記アンテナパターンと接する部分であるアンテナ当接部の側方には、前記アンテナパターンにおいて電流が流れる方向と直交する方向にスリット部（５２、５２ａ、５２ｂ）が形成されている窓部貼付型通信モジュール。
【請求項１２】
請求項１１に記載の窓部貼付型通信モジュールであって、
前記スリット部と前記アンテナ当接部との離隔は、電気的に前記アンテナモジュールが送受信の対象とする電波の波長の半分に相当する値に設定されている窓部貼付型通信モジュール。
【請求項１３】
カメラ（３１０）と、
所定の周波数の電波を探査波として送信するとともに、当該探査波が物体で反射されて返ってくる反射波を受信することによって物体を検出するレーダ装置（３２０）と、を備える周辺監視ユニット（３００）であって、
前記レーダ装置は、
前記反射波を受信するためのアンテナとして、請求項１から８の何れか１項に記載の前記光透過型アンテナであるアンテナモジュール（１００、１００Ａ）を備えるとともに、
前記光透過型アンテナで受信した信号に対して所定の信号処理を実行することによって、前記物体の位置を示すデータを生成する信号処理部（６Ａ）を備え、
前記アンテナモジュールは、前記カメラの前方であって、当該アンテナモジュールの少なくとも一部が前記カメラで撮像範囲に含まれる位置に配置されている周辺監視ユニット。
【手続補正２】
【補正対象書類名】明細書
【補正対象項目名】０００７
【補正方法】変更
【補正の内容】
【０００７】
その目的を達成するための光透過型アンテナの発明は、透明な絶縁材料を用いて実現されている透明基材（１）上に、所定の透過率及び所定の導電率を提供する膜である透明導電膜を用いてアンテナパターン（２）が形成されている光透過型アンテナであって、アンテナパターンには、透明導電膜よりも導電性が高い導電部材を用いて線状に形成されている複数の強導電パターン（２２）が配置されており、複数の強導電パターンの幅は、人間の目の分解能として想定される値以下に設定されており、アンテナパターンの上側には、透明な絶縁材料を用いて実現された、所定の厚みを有する第２の透明基材（５）が配置されていることを特徴とする。
【手続補正３】
【補正対象書類名】明細書
【補正対象項目名】０００９
【補正方法】変更
【補正の内容】
【０００９】
また、窓部貼付型通信モジュールの発明は、上記の光透過型アンテナであるアンテナモジュール（１００Ａ）と、当該アンテナモジュールで受信した信号に対して所定の信号処理を実行する信号処理部（６）と、を備える窓部貼付型通信モジュールであって、アンテナモジュールは、透明基材としての第１透明基材層（Ｌ１）と、第１透明基材層の上側に配置された、少なくとも１つのアンテナパターンを備える放射素子層（Ｌ２）と、第１透明基材層の下側に配置された、透明導電膜を用いてなるグランド層（Ｌ３）と、放射素子層の上側に透明な絶縁材料を用いて所定の厚みを有するように形成されている、第２の透明基材として第２透明基材層（Ｌ４）と、を備えており、第２透明基材層が車両に設けられている窓ガラス部の内側面と対向するように貼り付けて使用されるように構成されていることを特徴とする。